(57)【要約】医療流体を患者に送達するための送達デバイスは、医療流体で少なくとも部分的に充填された容器を受け入れるように構成されたハウジングを有する。送達デバイスは、投薬手順において医療流体を容器から患者に送達するように構成された、ハウジングに関連付けられた駆動機構をさらに有する。送達デバイスは、投薬手順の特性および医療流体の特性の少なくとも１つを検出するように構成されたモジュールをさらに有する。モジュールは、容器内のストッパの位置に基づいて投薬手順の開始、進行、および完了を検出するように構成された少なくとも１つの用量検出センサを有する。モジュールは、容器の温度に基づいて容器内の医療流体の温度を測定するように構成された少なくとも１つの温度センサをさらに有する。
2020512859.tif 000002
【特許請求の範囲】
【請求項１】
医療流体を患者に送達するための送達デバイスであって、
前記医療流体で少なくとも部分的に充填された容器を受け入れるように構成されたハウジングと、
投薬手順において前記医療流体を前記容器から前記患者に送達するように構成された、前記ハウジングに関連付けられた駆動機構と、
前記投薬手順の特性および前記医療流体の特性の少なくとも１つを検出するように構成されたモジュールであって、
前記容器内のストッパの位置に基づいて前記投薬手順の開始、進行、および完了を検出するように構成された少なくとも１つの用量検出センサと、
前記容器の温度に基づいて前記容器内の前記医療流体の温度を測定するように構成された少なくとも１つの温度センサと
を備える、モジュールと
を備える送達デバイス。
【請求項２】
時間の関数として前記ストッパの前記位置の変化を検出することに基づいて、前記少なくとも１つの用量検出センサは、前記医療流体の前記患者への送達速度を測定するように構成される請求項１に記載の送達デバイス。
【請求項３】
前記モジュールは、前記少なくとも１つの用量検出センサによって測定された前記医療流体の前記送達速度が最小しきい値を下回るか、または最大しきい値を上回る場合に前記駆動機構を停止するように構成される請求項１に記載の送達デバイス。
【請求項４】
前記少なくとも１つの用量検出センサの出力は、少なくとも１つの温度センサの出力の関数である請求項１に記載の送達デバイス。
【請求項５】
前記少なくとも１つの用量検出センサは、前記容器内の前記医療流体の実際のボリュームを検出するか、または前記容器内の前記ストッパの前記位置に基づいて前記容器内の前記医療流体のボリュームを推定するように構成された光学センサアレイである請求項１に記載の送達デバイス。
【請求項６】
前記光学センサアレイは、赤外スペクトラム内の電磁エネルギーを放射するように構成された１つまたは複数の赤外線放射器と、前記赤外スペクトラム内の電磁エネルギーを検出するように構成された１つまたは複数の赤外線検出器とを備える請求項５に記載の送達デバイス。
【請求項７】
前記医療流体の前記温度は、前記送達デバイスの前記ハウジングの外側の周囲環境温度および前記送達デバイスの前記ハウジング内のローカル温度の関数である請求項１に記載の送達デバイス。
【請求項８】
前記モジュールは、前記容器内の前記医療流体の温度が最小しきい値を下回るか、または最大しきい値を上回る場合に前記駆動機構の作動を防止するように構成される請求項１に記載の送達デバイス。
【請求項９】
前記モジュールは、前記投薬手順の前記開始を検出するように構成された少なくとも１つの起動検出スイッチと、前記投薬手順の前記完了を検出するように構成された少なくとも１つの完了検出スイッチとをさらに備える請求項１に記載の送達デバイス。
【請求項１０】
前記少なくとも１つの起動検出スイッチは、前記駆動機構の少なくとも１つの構成要素の位置および速度の少なくとも１つを検出するように構成され、前記少なくとも１つの完了検出スイッチは、前記駆動機構の少なくとも１つの構成要素の位置および速度の少なくとも１つを検出するように構成される請求項９に記載の送達デバイス。
【請求項１１】
前記少なくとも１つの起動検出スイッチは、前記駆動機構の少なくとも１つの構成要素と物理的に直接接触する機械的センサであるか、または前記駆動機構の少なくとも１つの構成要素と物理的に直接接触しない光学センサである請求項９に記載の送達デバイス。
【請求項１２】
前記少なくとも１つの完了検出スイッチは、前記駆動機構の少なくとも１つの構成要素と物理的に直接接触する機械的センサであるか、または前記駆動機構の少なくとも１つの構成要素と物理的に直接接触しない光学センサである請求項９に記載の送達デバイス。
【請求項１３】
前記モジュールは、有線接続、無線接続、または前記有線接続および前記無線接続の組み合わせを介して遠隔デバイスと外部通信するように構成された通信要素をさらに備える請求項１に記載の送達デバイス。
【請求項１４】
前記通信要素は、前記遠隔デバイスに情報を送るか、もしくは前記遠隔デバイスから情報を受け入れるように構成された一方向通信要素であるか、または前記遠隔デバイスに情報を送り、前記遠隔デバイスから情報を受け入れるように構成された２方向通信要素である請求項１３に記載の送達デバイス。
【請求項１５】
前記遠隔デバイスは、前記送達デバイスを使用するための文脈的指示、前記投薬手順についての安全プロトコル情報、前記投薬手順の少なくとも１つの段階の状況表示の少なくとも１つを提供するように構成される請求項１３に記載の送達デバイス。
【請求項１６】
前記モジュールは、前記投薬手順の状態についての情報および作動指示の少なくとも１つをユーザに提供するように構成された１つまたは複数のインジケータをさらに備える請求項１に記載の送達デバイス。
【請求項１７】
前記１つまたは複数のインジケータは、少なくとも１つのライトを有する少なくとも１つの視覚インジケータを備える請求項１６に記載の送達デバイス。
【請求項１８】
前記少なくとも１つのライトは、定常状態およびフラッシング作動の少なくとも１つに合わせて構成された単色または多色発光ダイオードである請求項１７に記載の送達デバイス。
【請求項１９】
前記１つまたは複数のインジケータは、可聴メッセージをユーザに送達するように構成された少なくとも１つの可聴インジケータを備える請求項１６に記載の送達デバイス。
【請求項２０】
前記ハウジングに取り外し可能に連結可能なカバーをさらに備え、前記モジュールは、前記カバーに連結される請求項１に記載の送達デバイス。
【発明の詳細な説明】
【技術分野】
【０００１】
本発明は、一般に、ウェアラブル注射および／または注入デバイスに関し、特に治療薬を患者に投与するためのウェアラブル注射および／または注入デバイスに関する。
【背景技術】
【０００２】
関連出願の相互参照
本出願は、「Ｓｍａｒｔ  Ｗｅａｒａｂｌｅ  Ｉｎｊｅｃｔｉｏｎ  ａｎｄ／ｏｒ  Ｉｎｆｕｓｉｏｎ  Ｄｅｖｉｃｅ」と題する、２０１７年３月３１日出願の米国特許仮出願第６２／４７９，７４２号明細書に対する優先権を主張し、その開示は、参照により全体的に本明細書に組み込まれている。
【０００３】
自動注射デバイスのさまざまなタイプが、薬物溶液および他の液体治療製剤を未訓練者によって投与するか、または自己注射することを可能にするために開発されてきた。一般に、これらのデバイスは、液体治療製剤で事前充填されたリザーバと、ユーザによってトリガすることができるいくつかのタイプの自動針注射機構とを含む。投与される流体または薬物のボリュームが１ｍＬなどの特定のボリュームを全体的に下回るとき、通常約１０から１５秒の注射時間を有する自動注射器が、通常使用される。投与される流体または薬物のボリュームが１ｍＬを上回るとき、注射時間は、全体的により長くなり、その結果、デバイスと患者の皮膚の標的領域との間の接触を患者が維持することが難しくなる。さらに、投与される薬物のボリュームが多くなるにつれて、注射の時間期間を増大することが望ましくなる。薬物を患者にゆっくり注射するための従来の方法は、ＩＶを開始し、薬物を患者の体にゆっくり注射することである。そのような手順は通常、病院または外来患者施設内で実施される。
【０００４】
特定のデバイスは、自宅内における自己注射または自己注入を可能にし、液体治療製剤を患者の皮膚に徐々に注射することができる。いくつかの場合、これらのデバイスは、液体治療製剤が患者に注入されているときに患者によってこれらを「着用」することを可能にするのに（高さおよび全体サイズの両方において）十分小さいものである。これらのウェアラブル注射および／または注入デバイスは、通常、ポンプまたは他のタイプの排出機構を含んで、液体治療製剤をリザーバから流して注射針に入れる。そのようなデバイスはまた、通常、液体治療製剤が適切な時間に流れ始めるようにするための弁または流れ制御機構と、注射を開始するためのトリガ機構とを含む。
【先行技術文献】
【特許文献】
【０００５】
【特許文献１】国際特許出願ＰＣＴ／ＵＳ２０１６／０１３４４４
【特許文献２】国際公開第２０１６／１１５３７２号パンフレット
【発明の概要】
【発明が解決しようとする課題】
【０００６】
さまざまなウェアラブル注射および／または注入デバイスが当技術分野に存在するが、改良されたウェアラブル注射および／または注入デバイスが当技術分野で必要とされている。
【課題を解決するための手段】
【０００７】
全体的に、治療薬を患者に投与するように構成された、改良されたウェアラブル注射および／または注入デバイスが、提供される。いくつかの例では、ウェアラブル注射および／または注入デバイスは、用量進行を連続的に監視するように構成され得る。他の例では、ウェアラブル注射および／または注入デバイスは、検出された送達速度に基づいて用量進行における失速を検出するように構成され得る。さらなる例では、ウェアラブル注射および／または注入デバイスは、治療薬の温度を検出し、検出された温度に基づいて少なくとも１つの用量進行のプロトコルを調整するように構成され得る。他の例では、ウェアラブル注射および／または注入デバイスは、遠隔デバイスへのデータの外部通信を可能にするように構成され得る。さらなる例では、ウェアラブル注射および／または注入デバイスは、デバイスの状況についての強化された視覚インジケータを組み込むことができる。
【０００８】
本開示のいくつかの例では、医療流体を患者に送達するための送達デバイスは、医療流体で少なくとも部分的に充填された容器を受け入れるように構成されたハウジングを有することができる。送達デバイスは、投薬手順において医療流体を容器から患者に送達するように構成された、ハウジングに関連付けられた駆動機構をさらに有することができる。送達デバイスは、投薬手順の特性および医療流体の特性の少なくとも１つを検出するように構成されたモジュールをさらに有することができる。モジュールは、容器内のストッパの位置に基づいて投薬手順の開始、進行、および完了を検出するように構成された少なくとも１つの用量検出センサを有することができる。モジュールは、容器の温度に基づいて容器内の医療流体の温度を測定するように構成された少なくとも１つの温度センサをさらに有することができる。
【０００９】
本開示の他の例では、少なくとも１つの用量検出センサは、時間の関数としてストッパの位置の変化を検出することに基づいて医療流体の患者への送達速度を測定するように構成され得る。モジュールは、少なくとも１つの用量検出センサによって測定された医療流体の送達速度が最小しきい値を下回るか、または最大しきい値を上回る場合に駆動機構を停止するように構成され得る。少なくとも１つの用量検出センサの出力は、少なくとも１つの温度センサの出力の関数になり得る。少なくとも１つの用量検出センサは、容器内の医療流体の実際のボリュームを検出するか、または容器内のストッパの位置に基づいて容器内の医療流体のボリュームを推定するように構成された光学センサアレイであってよい。光学センサアレイは、赤外スペクトラム内の電磁エネルギーを放射するように構成された１つまたは複数の赤外線放射器と、赤外スペクトラム内の電磁エネルギーを検出するように構成された１つまたは複数の赤外線検出器とを有することができる。
【００１０】
本開示の他の例では、医療流体の温度は、送達デバイスのハウジングの外側の周囲環境温度および送達デバイスのハウジング内のローカル温度の関数となり得る。モジュールは、容器内の医療流体の温度が最小しきい値を下回るか、または最大しきい値を上回る場合に駆動機構の作動を防止するように構成され得る。
【００１１】
本開示の他の例では、モジュールは、投薬手順の開始を検出するように構成された少なくとも１つの起動検出スイッチと、投薬手順の完了を検出するように構成された少なくとも１つの完了検出スイッチとをさらに有することができる。少なくとも１つの起動検出スイッチは、駆動機構の少なくとも１つの構成要素の位置および速度の少なくとも１つを検出するように構成することができ、少なくとも１つの完了検出スイッチは、駆動機構の少なくとも１つの構成要素の位置および速度の少なくとも１つを検出するように構成することができる。少なくとも１つの起動検出スイッチは、駆動機構の少なくとも１つの構成要素と物理的に直接接触する機械的センサ、または駆動機構の少なくとも１つの構成要素と物理的に直接接触しない光学センサであってよい。少なくとも１つの完了検出スイッチは、駆動機構の少なくとも１つの構成要素と物理的に直接接触する機械的センサ、または駆動機構の少なくとも１つの構成要素と物理的に直接接触しない光学センサであってよい。
【００１２】
本開示の他の例では、モジュールは、有線接続、無線接続、または有線接続および無線接続の組み合わせを介して遠隔デバイスと外部通信するように構成された通信要素をさらに有することができる。通信要素は、遠隔デバイスに情報を送るか、もしくは遠隔デバイスから情報を受け入れるように構成された一方向通信要素であってよく、または遠隔デバイスに情報を送り、遠隔デバイスから情報を受け入れるように構成された２方向通信要素であってよい。遠隔デバイスは、送達デバイスを使用するための文脈的指示、投薬手順についての安全プロトコル情報、投薬手順の少なくとも１つの段階の状況表示の少なくとも１つを提供するように構成され得る。
【００１３】
本開示の他の例では、モジュールは、投薬手順の状態についての情報および作動指示の少なくとも１つをユーザに提供するように構成された１つまたは複数のインジケータをさらに有することができる。１つまたは複数のインジケータは、少なくとも１つのライトを有する少なくとも１つの視覚インジケータを有することができ、少なくとも１つのライトは、定常状態およびフラッシング作動の少なくとも１つに合わせて構成された単色または多色発光ダイオードである。１つまたは複数のインジケータは、可聴メッセージをユーザに送達するように構成された少なくとも１つの可聴インジケータを有することができる。送達デバイスは、ハウジングに取り外し可能に連結可能なカバーを有することができ、モジュールは、カバーに連結される。
【００１４】
本開示のさらなる例または態様は、以下の番号付与された項において特徴付けられる。
【００１５】
第１項  医療流体を患者に送達するための送達デバイスであって、医療流体で少なくとも部分的に事前充填された容器を受け入れるように構成されたハウジングと、投薬手順において医療流体を容器から患者に送達するように構成された、ハウジングに関連付けられた駆動機構と、投薬手順の特性および医療流体の特性の少なくとも１つを検出するように構成されたモジュールであって、容器内のストッパの位置に基づいて投薬手順の開始、進行、および完了を検出するように構成された少なくとも１つの用量検出センサと、容器の温度に基づいて容器内の医療流体の温度を測定するように構成された少なくとも１つの温度センサとを備える、モジュールとを備える送達デバイス。
【００１６】
第２項  時間の関数としてストッパの位置の変化を検出することに基づいて、少なくとも１つの用量検出センサは、医療流体の患者への送達速度を測定するように構成される、第１項の送達デバイス。
【００１７】
第３項  モジュールは、少なくとも１つの用量検出センサによって測定された医療流体の送達速度が最小しきい値を下回るか、または最大しきい値を上回る場合に駆動機構を停止するように構成される、第１項または第２項の送達デバイス。
【００１８】
第４項  少なくとも１つの用量検出センサの出力は、少なくとも１つの温度センサの出力の関数である、第１項〜第３項のいずれかの送達デバイス。
【００１９】
第５項  少なくとも１つの用量検出センサは、容器内の医療流体の実際のボリュームを検出するか、または容器内のストッパの位置に基づいて容器内の医療流体のボリュームを推定するように構成された光学センサアレイである、第１項〜第４項のいずれかの送達デバイス。
【００２０】
第６項  光学センサアレイは、赤外スペクトラム内の電磁エネルギーを放射するように構成された１つまたは複数の赤外線放射器と、赤外スペクトラム内の電磁エネルギーを検出するように構成された１つまたは複数の赤外線検出器とを備える、第１項〜第５項のいずれかの送達デバイス。
【００２１】
第７項  医療流体の温度は、送達デバイスのハウジングの外側の周囲環境温度および送達デバイスのハウジング内のローカル温度の関数である、第１項〜第６項のいずれかの送達デバイス。
【００２２】
第８項  モジュールは、容器内の医療流体の温度が最小しきい値を下回るか、または最大しきい値を上回る場合に駆動機構の作動を防止するように構成される、第１項〜第７項のいずれかの送達デバイス。
【００２３】
第９項  モジュールは、投薬手順の開始を検出するように構成された少なくとも１つの起動検出スイッチと、投薬手順の完了を検出するように構成された少なくとも１つの完了検出スイッチとをさらに備える、第１項〜第８項のいずれかの送達デバイス。
【００２４】
第１０項  少なくとも１つの起動検出スイッチは、駆動機構の少なくとも１つの構成要素の位置および速度の少なくとも１つを検出するように構成され、少なくとも１つの完了検出スイッチは、駆動機構の少なくとも１つの構成要素の位置および速度の少なくとも１つを検出するように構成される、第１項〜第９項のいずれかの送達デバイス。
【００２５】
第１１項  少なくとも１つの起動検出スイッチは、駆動機構の少なくとも１つの構成要素と物理的に直接接触する機械的センサであるか、または駆動機構の少なくとも１つの構成要素と物理的に直接接触しない光学センサである、第１項〜第１０項のいずれかの送達デバイス。
【００２６】
第１２項  少なくとも１つの完了検出スイッチは、駆動機構の少なくとも１つの構成要素と物理的に直接接触する機械的センサであるか、または駆動機構の少なくとも１つの構成要素と物理的に直接接触しない光学センサである、第１項〜第１１項のいずれかの送達デバイス。
【００２７】
第１３項  モジュールは、有線接続、無線接続、または有線接続および無線接続の組み合わせを介して遠隔デバイスと外部通信するように構成された通信要素をさらに備える、第１項〜第１２項のいずれかの送達デバイス。
【００２８】
第１４項  通信要素は、遠隔デバイスに情報を送るか、もしくは遠隔デバイスから情報を受け入れるように構成された一方向通信要素であるか、または遠隔デバイスに情報を送り、遠隔デバイスから情報を受け入れるように構成された２方向通信要素である、第１項〜第１３項のいずれかの送達デバイス。
【００２９】
第１５項  遠隔デバイスは、送達デバイスを使用するための文脈的指示、投薬手順についての安全プロトコル情報、投薬手順の少なくとも１つの段階の状況表示の少なくとも１つを提供するように構成される、第１項〜第１４項のいずれかの送達デバイス。
【００３０】
第１６項  モジュールは、投薬手順の状況についての情報および作動指示の少なくとも１つをユーザに提供するように構成された１つまたは複数のインジケータをさらに備える、第１項〜第１５項のいずれかの送達デバイス。
【００３１】
第１７項  １つまたは複数のインジケータは、少なくとも１つのライトを有する少なくとも１つの視覚インジケータを備える、第１項〜第１６項のいずれかの送達デバイス。
【００３２】
第１８項  少なくとも１つのライトは、定常状態およびフラッシング作動の少なくとも１つに合わせて構成された単色または多色発光ダイオードである、第１項〜第１７項のいずれかの送達デバイス。
【００３３】
第１９項  １つまたは複数のインジケータは、可聴メッセージをユーザに送達するように構成された少なくとも１つの可聴インジケータを備える、第１項〜第１８項のいずれかの送達デバイス。
【００３４】
第２０項  ハウジングに取り外し可能に連結可能なカバーをさらに備え、モジュールは、カバーに連結される、第１項〜第１９項のいずれかの送達デバイス。
【００３５】
本開示のこれらおよび他の特徴および特性、ならびに関連する要素または構造の作動および機能の方法および部材の組み合わせおよび製造の経済性が、本明細書の一部をそのすべてが形成する添付の図を参照して、以下の説明を考えることによって、より明確になるであろう。しかし、図は、例示および説明のためのものにすぎず、本発明の限定を定義するように意図されないことが明示的に理解されるものとする。
【図面の簡単な説明】
【００３６】
【図１】１つの例による、高性能ウェアラブル注射および／または注入デバイスの正面斜視図である。
【図２】デバイスのさまざまな構成要素を示す図１の高性能ウェアラブル注射および／または注入デバイスの概略上面図である。
【図３】図１に示す高性能ウェアラブル注射および／または注入デバイスの側面斜視図である。
【図４】高性能ウェアラブル注射および／または注入デバイスから分離されたカバーを示す、図３に示す高性能ウェアラブル注射および／または注入デバイスの分解図である。
【図５】高性能ウェアラブル注射および／または注入デバイスと共に使用するための制御要素の詳細斜視図である。
【図６】別の例による、高性能ウェアラブル注射および／または注入デバイスの正面斜視図である。
【図７】図６に示す高性能ウェアラブル注射および／または注入デバイスの分解斜視図である。
【図８】図６に示す高性能ウェアラブル注射および／または注入デバイスの後部斜視図である。
【図９】図８に示す高性能ウェアラブル注射および／または注入デバイスの分解斜視図である。
【図１０】図６に示す高性能ウェアラブル注射および／または注入デバイスのカバーの内側表面の斜視図である。
【図１１】インジケータのさまざまな状況を示す高性能ウェアラブル注射および／または注入デバイスの正面斜視図である。
【図１２】高性能ウェアラブル注射および／または注入デバイスと共に使用するためのカバーのさまざまな設計の断面図である。
【図１３】遠隔デバイスと無線通信するように構成された高性能ウェアラブル注射および／または注入デバイスを示す図である。
【図１４】遠隔デバイスと無線通信するように構成された高性能ウェアラブル注射および／または注入デバイスを示す別の図である。
【図１５】高性能ウェアラブル注射および／または注入デバイスと共に使用するように構成された携帯デバイスアプリケーションのグラフィカルユーザインターフェースのスクリーンショットの図である。
【図１６】高性能ウェアラブル注射および／または注入デバイスと共に使用するための光感知アレイの詳細図である。
【図１７】時間の関数とする、高性能ウェアラブル注射および／または注入デバイスのある性能パラメータを示す図である。
【図１８】時間の関数とする、高性能ウェアラブル注射および／または注入デバイスの別の性能パラメータを示す別の図である。
【図１９】時間の関数とする、高性能ウェアラブル注射および／または注入デバイスのさらなる性能パラメータを示す別の図である。
【図２０】時間の関数とする、高性能ウェアラブル注射および／または注入デバイスのさらに別の性能パラメータを示す別の図である。
【図２１】あるタイプの照明の波長の関数とするスペクトル分布を示す図である。
【図２２】別のタイプの照明の波長の関数とするスペクトル分布を示す別の図である。
【図２３】高性能ウェアラブル注射および／または注入デバイスのさまざまな構成要素の概略図である。
【図２４】高性能ウェアラブル注射および／または注入デバイスの温度検出および推定の概略図である。
【発明を実施するための形態】
【００３７】
図１〜２４では、別段の記載が無い限り、場合に応じて、同様の記号は、同じ構成要素および要素を指す。
【００３８】
本明細書で使用される場合、「１つ（ａ）」、「１つ（ａｎ）」、および「その（ｔｈｅ）」の単数形は、その文脈が別途明確に定めない限り、複数の指示対象を含む。
【００３９】
「左」、「右」、「内側」、「外側」、「上方」、「下方」などの空間的または方向的用語は、図に示すように本発明に関連し、本発明はさまざまな代替の配向をとり得るため、限定的であると考えられるものではない。
【００４０】
明細書および特許請求の範囲において使用するすべての数値および範囲は、用語「約」によってすべての場合において修飾されると理解されるものである。「約」とは、述べられた値のプラスまたはマイナス１０パーセントなどのように、述べられた値のプラスまたはマイナス２５パーセントを意味する。しかし、これは、均等論の下、値のいずれの分析に対しても限定として考えられてはならない。
【００４１】
別段の指示が無い限り、本明細書に開示するすべての範囲または比は、開始値および終了値、ならびにその中に属するあらゆるすべてのサブ範囲およびサブ比を包含するように理解されるものとする。たとえば、「１から１０」の述べられた範囲または比は、１の最小値から１０の最大値までの（１および１０を含む）あらゆるすべてのサブ範囲またはサブ比、すなわち１またはそれ以上の最小値で始まり、１０またはそれ以下の最大値で終了するすべてのサブ範囲またはサブ比を含むように考えられなければならない。本明細書に開示する範囲および／または比は、明示された範囲および／または比にわたる平均値を表す。
【００４２】
「第１」、「第２」などの用語は、いかなる特定の順序または時系列を指すようには意図されず、種々の状態、特性、または要素を指す。
【００４３】
用語「少なくとも」は、「それより大きいか、またはそれに等しい」の同義語である。
【００４４】
用語「以下」は、「それより小さいか、またはそれに等しい」の同義語である。
【００４５】
本明細書で使用される場合、「少なくとも１つ」は、「１つまたは複数」の同義語である。たとえば、「Ａ、Ｂ、およびＣの少なくとも１つ」という語句は、Ａ、Ｂ、もしくはＣの任意の１つ、またはＡ、Ｂ、もしくはＣの任意の２つ以上の任意の組み合わせを意味する。たとえば、「Ａ、Ｂ、およびＣの少なくとも１つ」は、Ａ単独、またはＢ単独、またはＣ単独、またはＡおよびＢ、またはＡおよびＣ、またはＢおよびＣ、またはＡ、Ｂ、およびＣのすべてを含む。
【００４６】
用語「含む」は、「備える」の同義語である。
【００４７】
本発明の論議は、特定の特徴を、「特に」または「好ましくは」特定の限定内にある（たとえば、「好ましくは」、「より好ましくは」、または「さらにより好ましくは」特定の限定内にある）ものとして説明することができる。本発明は、これらの特定のまたは好ましい限定に制限されず、本開示の全範囲を包含することを理解されたい。
【００４８】
さまざまな非限定的な例または態様において、図１を参照すると、本開示は、用量進行を連続的に監視するように構成され得るウェアラブル注射および／または注入デバイスを対象とする。他の例では、ウェアラブル注射および／または注入デバイスは、検出された送達速度に基づいて用量進行における失速を検出するように構成され得る。さらなる例では、ウェアラブル注射および／または注入デバイスは、治療薬の温度を検出し、検出された温度に基づいて少なくとも１つの用量進行プロトコルを調整するように構成され得る。他の例では、ウェアラブル注射および／または注入デバイスは、遠隔デバイスへのデータの外部通信を可能にするように構成され得る。さらなる例では、ウェアラブル注射および／または注入デバイスは、デバイスの状況についての強化された視覚インジケータを組み込むことができる。
【００４９】
ウェアラブル注射および／または注入デバイス
図１〜２を参照すると、ウェアラブル注射および／または注入デバイス１００が、１つの例によって示される。ウェアラブル注射および／または注入デバイス１００は、患者の皮膚に連結されて治療薬の治療効果のある量の用量を所定の送達速度で送達するように構成され得る。たとえば、治療薬は、治療効果のある量で送達されたとき、所望の治療効果を達成する、任意のタイプの薬物、化学物質、生物学的物質、生化学的物質であってよい。ウェアラブル注射および／または注入デバイス１００は、治療薬で充填された容器１０４（図７に示す）と流体連通するシリンジ組立体１０３（図７に示す）を封入するためのハウジング１０２を有する。ウェアラブル注射および注入デバイス１００は、シリンジ組立体１０３を使用して治療薬を容器１０４から患者に送達するように動作可能である。
【００５０】
図６〜７を参照すると、ウェアラブル注射および／または注入デバイス１００のハウジング１０２は、ハウジングに取り外し可能に連結され得るカバー１０６を有する。カバー１０６は、用量進行、失速検出、温度測定、および外部通信に合わせて構成された複数の構成要素を備えるモジュール１５０（図１０に示す）を有することができる。本明細書に論じるように、モジュール１５０は、環境センサ（たとえば温度）などの１つまたは複数のセンサを含んで、用量検出アルゴリズム（たとえば流体粘度温度効果）を改良すると共にフィードバック（たとえば薬物は注射には冷たすぎる）をユーザに提供することができる。モジュール１５０は、追加的に、１つまたは複数のインジケータ（たとえば可聴式、可視式、または触知式）を含んで、フィードバックまたは指示をユーザに提供することができる。モジュール１５０はまた、デバイスデータを外部デバイス（たとえばスマートフォン）に送信する通信能力を含むこともできる。モジュール１５０は、カバー１０６と一体化され、それにより、カバー１０６がハウジング１０２に連結されたとき、モジュール１５０は、ウェアラブル注射および／または注入デバイス１００の基本となる機能を妨害しない。モジュール１５０は、追加のセンサを含んで、注射器の作動に関連付けられた機械的動作を検出することができる（たとえば、起動、完了、針挿入／後退、または他のデバイスのイベントまたは状態を検出するためのスイッチ）。モジュール１５０は、光学センサアレイ、容量センサアレイ、誘導センサアレイなどの１つまたは複数の追加のセンサを有することができ、それによって用量送達を連続的に監視することができる。
【００５１】
いくつかの例では、モジュール１５０を含むカバー１０６は、既存のウェアラブル注射および／または注入デバイス（図示せず）の既存のカバーの取り換え品として提供され得る。そのような例では、カバー１０６およびモジュール１５０は、ウェアラブル注射および／または注入デバイスと一体化されて、モジュール１５０によって得られる、ウェアラブル注射および／または注入デバイスに対する追加の機能を提供することができる。たとえば、カバー１０６は、参照によって全体的にその開示が本明細書に組み込まれる、（特許文献２として公開された）特許文献１に開示されたウェアラブル注射および／または注入デバイスと共に使用され得る。
【００５２】
カバー１０６は、容器１０４の充填ボリュームを見るなどの、容器１０４の内容量を見るための観察窓１０８を有する。フィルタ（図示せず）が、窓１０８を通過する周囲光をフィルタリングするために観察窓１０８上に提供され得る。ハウジング１０２は、ウェアラブル注射および／または注入デバイス１００の状況を表示するためのインジケータ１１０をさらに有する。
【００５３】
図２を参照すると、ウェアラブル注射および／または注入デバイス１００は、投薬手順の起動／完了を検出するための起動検出スイッチ１１２および完了検出スイッチ１１４をさらに有する。ウェアラブル注射および／または注入デバイス１００は、起動検出ボタンスイッチ１１７をさらに有して、注射器起動ボタン１１５（図１に示す）の状態を検出する。ウェアラブル注射および／または注入デバイス１００は、遠隔デバイスとの通信のための無線通信要素１１６と、デバイス１００への電源供給をオン／オフするためのオン／オフスイッチ１１８と、電池１２２を再充電するための充電ポート１２０とをさらに有する。ウェアラブル注射および／または注入デバイス１００は、可聴インジケータ１２４と、１つまたは複数の温度センサ１２６と、用量検出アレイ１２８とをさらに有する。
【００５４】
図２３を参照すると、コントローラ１４０が、ウェアラブル注射および／または注入デバイス１００の構成要素の１つまたは複数を制御するために提供され得る。いくつかの例では、コントローラ１４０は、プロセッサ１４２と、メモリ１４４と、記憶構成要素１４６と、ウェアラブル注射および／または注入デバイス１００のさまざまな構成要素と通信するためのバス１４８とを含む。バス１４８は、ウェアラブル注射および／または注入デバイス１００の構成要素の中で通信を可能にする構成要素を含む。いくつかの非限定的な実施形態では、プロセッサ１４２は、ハードウェア、ファームウェア、またはハードウェアおよびソフトウェアの組み合わせで実装される。たとえば、プロセッサ１４２は、プロセッサ（たとえば、中央処理装置（ＣＰＵ）、画像処理装置（ＧＰＵ）、アクセラレーテッドプロセッシングユニット（ａｃｃｅｌｅｒａｔｅｄ  ｐｒｏｃｅｓｓｉｎｇ  ｕｎｉｔ）（ＡＰＵ）など）、マイクロプロセッサ、デジタルシグナルプロセッサ（ＤＳＰ）、および／または任意の処理構成要素（たとえばフィールドプログラマブルゲートアレイ（ＦＰＧＡ）、機能を実施するようにプログラムすることができる特定用途向け集積回路（ＡＳＩＣ）など）を含む。メモリ１４４は、ランダムアクセスメモリ（ＲＡＭ）、読み取り専用メモリ（ＲＯＭ）、および／またはプロセッサ１４２によって使用するための情報および／または命令を記憶する別のタイプの動的または静的記憶デバイス（たとえば、フラッシュメモリ、磁気メモリ、光学メモリなど）を含む。
【００５５】
記憶構成要素１４６は、ウェアラブル注射および／または注入デバイス１００の作動および使用に関連する情報および／またはソフトウェアを記憶する。たとえば、記憶構成要素１４６は、ハードディスク（たとえば磁気ディスク、光学ディスク、磁気光学ディスク、ソリッドステートディスクなど）、カートリッジ、磁気テープおよび／または別のタイプのコンピュータ可読媒体を、対応するドライブと共に含む。コンピュータ可読媒体（たとえば、固定コンピュータ可読媒体）は、本明細書では固定メモリデバイスと定義される。メモリデバイスは、単一の物理的記憶デバイスの内部に位置するメモリスペース、または複数の物理的記憶デバイスにわたって広がるメモリスペースを含む。
【００５６】
ウェアラブル注射および／または注入デバイス１００は、本明細書に説明する１つまたは複数のプロセスを実施することができる。ウェアラブル注射および／または注入デバイス１００は、メモリ１４４および／または記憶構成要素１４６などのコンピュータ可読媒体によって記憶されるソフトウェア命令を実行するプロセッサ１４２に基づいてこれらのプロセスを実施することができる。ソフトウェア命令は、バス１４８を介して、別のコンピュータ可読媒体または別のデバイスからメモリ１４４および／また記憶構成要素１４６に読み込まれ得る。実行されたとき、メモリ１４４および／または記憶構成要素１４６内に記憶されたソフトウェア命令は、本明細書において説明する１つまたは複数のプロセスをプロセッサ１４２に実施させる。追加的にまたは代替的に、ソフトウェア命令の代わりに、またはこれと組み合わせて、配線接続された回路を使用して本明細書において説明する１つまたは複数のプロセスを実施することができる。したがって、本明細書において説明する例は、ハードウェア回路およびソフトウェアの任意の特有の組み合わせに限定されない。
【００５７】
図２３に示す構成要素の数および配置は、一例として提供される。いくつかの非限定的な例では、コントローラ１４０は、追加の構成要素、これより少ない構成要素、異なる構成要素、または図２３に示すものとは異なって配置された構成要素を含む。追加的にまたは代替的に、コントローラ１４０の構成要素（たとえば１つまたは複数の構成要素）のセットは、ウェアラブル注射および／または注入デバイス１００の構成要素の別のセットによって実施されるものとして説明する１つまたは複数の機能を実施することができる。
【００５８】
デバイス状態の検出
いくつかの例では、カバー１０６およびモジュール１５０は、ウェアラブル注射および／または注入デバイス１００の基本となる構成要素の機械的状態を追跡するように構成され得る。たとえば、モジュール１５０内の検出スイッチ１１２、１１４は、ウェアラブル注射および／または注入デバイス１００の少なくとも１つの構成要素の少なくとも１つの特性、たとえば構成要素の位置、速度、および／または第１の状態から第２の状態への状態変化などを検出するように構成され得る。たとえば、モジュール１５０内の検出スイッチ１１２、１１４は、注射器状態の変化に関連付けられる機械的動作、たとえば針シールドの取り外し、注射器のロック解除、起動ボタンの押し下げ、注射起動、および注射完了などを検出するように構成され得る。いくつかの例では、検出スイッチ１１２、１１４は、基本となる構成要素との直接的な機械的相互作用を有する機械的構成要素であってよい。他の例では、検出スイッチ１１２、１１４は、非接触検出を可能にする赤外線ベースの光学センサ（たとえば反射率またはフォトインタラプタセンサ）であってよい。デバイス状態における遷移をトリガとして使用して、温度または用量進行などの他のシステム測定を開始または停止させることができる。
【００５９】
用量進行および失速の検出
いくつかの例では、ウェアラブル注射および／または注入デバイス１００は、モジュール１５０を使用して、用量進行を監視し、用量進行の失速現象を検出するように構成され得る。たとえば、モジュール１５０の用量検出アレイ１２８は、分注連鎖（dispense chain）を追跡するための光学センサアレイであってよい。用量検出アレイ１２８は、患者に送達される治療薬のボリュームを検出するか、またはアルゴリズムを使用して推定するように構成され得る。用量検出アレイ１２８は、ウェアラブル注射および／または注入デバイスの構成要素と接触しないように、したがって治療薬の送達に影響を与えないように構成され得る。たとえば、用量検出アレイ１２８は、容器１０４の横方向側面上に位置決めされ得る。用量検出アレイ１２８は、容器１０４の長手方向のストッパの進行を検出するように構成することができ、送達された治療薬のボリュームおよび／または容器１０４内に残る治療薬のボリュームとストッパの位置を相関付けることができる。いくつかの例では、用量検出アレイ１２８は、１つまたは複数の検出器によって受け入れられる、ストッパおよび容器１０４から反射される可視光または赤外光などの電磁エネルギーを放射する１つまたは複数の放射器を有する光学システムであってよい。用量検出アレイ１２８の反射性質により、構成要素を容器１０４の一方側に置くことが可能になる。これにより、システムを製造することが、放射器および検出器が互いに向かい合って位置決めされる配置よりコンパクトになり、より容易になる。
【００６０】
図１０に示すようないくつかの例では、用量検出アレイ１２８は、赤外スペクトラム内の電磁エネルギーを放射するように構成された１つまたは複数の赤外線放射器１３０（たとえばＩＲ  ＬＥＤ、およびフォトトランジスタまたはフォトダイオード）と、その赤外スペクトラム内の電磁エネルギーを検出するように構成された１つまたは複数の赤外線検出器１３２とを備える赤外線ベースの光学センサアレイであってよい。用量検出アレイ１２８は、カバー１０６と一体化することができ、それにより、ハウジング１０２からのカバー１０６の取り外しにより、用量検出アレイ１２８もハウジング１０２から取り外される。
【００６１】
引き続き図１０を参照すると、放射器１３０および検出器１３２は、共通の回路基板上でインターリーブされ得る。放射器１３０の数は、検出器１３２の数と同じでも、異なっていてもよい。いくつかの例では、放射器１３０および検出器１３２は、交互のパターンで配置されてよく、ここでは各放射器／検出器は、検出器／放射器の対の間に位置決めされる。用量検出アレイ１２８は、光学構成要素を制御し、検出器出力を処理してストッパの場所を確立するためのコントローラと電子通信することができる。ウェアラブル注射および／または注入デバイス１００は、他の電子デバイス（たとえばマルチプレクサ、アンプリファイア、Ａ／Ｄなど）をさらに有して、コントローラを用量検出アレイ１２８に接続することができる。赤外スペクトラムは、可視光源などの外部ノイズ源に対する改良された耐雑音障害性を提供する。放射器から放射された赤外光もまた、ユーザには見えない。
【００６２】
使用において、単一の放射器１３０が起動されて赤外光を放射することができ、その間１つまたは複数の検出器１３２は、容器１０４から反射された赤外光を検出する。このシーケンスは、異なる放射器／検出器の組み合わせの間で反復的に繰り返され得る。すべての検出器１３２のサンプリングは、同時にまたは順序立てて行われ得る。いくつかの例では、放射器１３０は、１測定あたり２００μｓ未満に対してアクティブとなり得る（０．０２％デューティサイクル）。検出器測定値は、参照測定値の既存のセットに対して比較され、ストッパ／プランジャ位置に相関付けられた最も近い参照点に合わせられる。参照測定点の数は、検出器１３２の数より多くなることができ、それによって、位置分解能を改良する（たとえば６つの検出器を使用して２００の参照点）。このようにして、用量検出アレイ１２８は、２００ステップ絶対位置エンコーダなどの複数ステップエンコーダと同様に機能する。取得された値を参照値に合わせる方法は、収集されたデータと参照値との間のエラーを最小限にする。重み付け方法を使用して、注射中の異なる時間または位置において特定の放射器／検出器の組み合わせを選択的に優先付けすることができる。追加のフィルタリングを採用して、周囲光の効果を最小限にするなど、データを事前処理することができる。いくつかの例では、用量検出アレイ１２８は、〜１６０μｍステップ分解能を有することができる。周囲赤外エネルギーの効果を最小限するために、放射器が通電されていないときにいくつかの背景測定を行って、検出器ベースラインを確立することができる。次いで、このベースライン値は、放射器が通電されたときに検出器測定値から減算され得る。また、同期変調技法を利用して標的測定を背景エネルギーレベルから分離することもできる。
【００６３】
いくつかの例では、特徴認識方法を使用して信号測定値を処理して、特有のストッパ／プランジャ位置に対応する知られている信号特徴（たとえばローカルの最大値または最小値）を特定することができ、こうして参照測定値の既存のセットへの依存を軽減するか、または最小限にする。特徴認識方法は、ファジー論理と、機械学習ベース技法とを含むことができる。
【００６４】
用量進行の決定は、位置ベースアルゴリズム、すなわち送達された用量のボリュームをこれから算出することができるアルゴリズム上で見出され得る。時間の関数とするストッパの位置の変化を使用してストッパの速度、したがって治療薬の送達速度を算出することができる。アルゴリズムは、容器１０４の直径および長さにおける可変性などの、流体送達構成要素における知られている変動を補償することができる。ストッパ／プランジャの速度データを使用して、投薬手順が失速しているかどうかを決定することができる。たとえば、最小しきい値（失速状態）は、任意のエラー源（たとえばノイズ、周囲ＩＲなど）と組み合わせた最小のストッパ／プランジャ速度に対応することができる。たとえば、失速検出時間は、４μｌ／ｓなどの最も遅い許容送達速度によって定められ得る。図１７〜２０は、時間の関数とするさまざまな性能パラメータを示す。
【００６５】
光学構成要素は、温度に敏感であることが知られているため、温度センサからの測定値を使用して温度補償を適用して、温度関連の測定エラーを連続的に訂正することができる。図２４を参照すると、１つまたは複数の温度センサからの入力を１つまたは複数のフィルタを通過させて、いかなる温度関連測定エラーも補償することができる。
【００６６】
容器１０４が最初に固定された距離を並進してセプタムを穿孔しなければならない注射システムでは、用量検出アレイを使用して、（プランジャを含む）容器１０４全体の位置を検出することもできる。別個の参照測定セットを利用して、容器１０４全体の位置を決定することができる。容器が穿孔された状態にあることが検出されると、アルゴリズムは、プランジャ位置を検出するために使用される参照セットに切り替わることができる。
【００６７】
早すぎる取り外しの検出
いくつかの例では、計算された位置および速度データを使用して、デバイスが注射部位から早期に取り外されたかどうかを決定することができる。たとえば、最大速度しきい値は、体（すなわち高圧部位）に注射されたときの最大予想ストッパ／プランジャ速度に対応することができる。このしきい値より高い速度は、空気（すなわち低圧部位）における注射に対応することができる。位置または速度における、大きく突然の予想されない変化をこうして使用して、注射部位における望ましくない変化（たとえば早すぎる取り外しまたは針の後退）を表示することができる。
【００６８】
温度測定
いくつかの例では、ウェアラブル注射および／または注入デバイス１００は、容器１０４の内部の治療薬の温度などの温度を測定するように構成され得る。たとえば、１つまたは複数の温度センサ１２６を使用して、容器１０４の温度を検出することができる。この温度データを使用することにより、容器の温度に対する注射器内の１つまたは複数の場所における温度、注射器内の空間的温度勾配、容器の測定場所における温度変化の速度（すなわち温度勾配）などの複数の要因の少なくとも１つに基づいて、容器１０４の内部の治療薬の温度が予測され得る。温度センサデータを使用して過渡的温度状態中、周囲環境温度を予測し、または推定することができる。デバイス内のローカル温度に対する周囲環境温度を推定することにより、容器の内部の治療薬の温度は、経時的により良好に予測され得る。温度データを使用して、ウェアラブル注射および／または注入デバイス１００が投薬手順を実施する準備ができているかどうかを表示することができる。たとえば、特定の治療薬は、これらが所定の温度（または温度範囲）にある場合のみ送達され得る。ウェアラブル注射および／または注入デバイス１００は、治療薬がそのような所定温度（または温度範囲）を上回る／下回る場合に治療薬の送達を防止することができる。いくつかの例では、ウェアラブル注射および／または注入デバイス１００は、増大させたまたは低下させた送達速度などの拡張された投薬手順を使用して、所定温度（または温度範囲）の外側にある治療薬の送達を可能にすることができる。
【００６９】
また、温度データを用量進行データと組み合わせて、異常な送達速度（または用量進行における失速）が、治療薬の粘度における温度関連変化によって引き起こされそうであるかどうか（たとえば低温における粘度の増大による失速）を検出するか、または推定することができる。これらのシナリオでは、温度データの変化を使用して、異常な送達状態の解消が予想されるかどうか（たとえば現在注射は失速しているが、温度が増大することによって回復しそうであると考えられる）を表示し、それによって、たとえば一時的な送達中断のための早すぎる取り外しを防止することができる。
【００７０】
外部通信
いくつかの例では、ウェアラブル注射および／または注入デバイス１００は、図１３〜１４に示すように、ネットワークを介して遠隔デバイス１１９と外部通信するように構成され得る。通信は、一方向通信であってよく、この場合ウェアラブル注射および／または注入デバイス１００は、遠隔デバイス１１９に情報を送るのみ、または遠隔デバイス１１９から情報を受け入れるのみを行うように構成される。他の例では、ウェアラブル注射および／または注入デバイス１００は、遠隔デバイス１１９と２方向通信するように構成されてよく、この場合ウェアラブル注射および／または注入デバイス１００は、遠隔デバイス１１９に情報を送ると共に遠隔デバイス１１９から情報を受け入れるように構成される。いくつかの例では、ウェアラブル注射および／または注入デバイス１００は、有線接続、無線接続、または有線接続および無線接続の組み合わせなどを介して、ウェアラブル注射および／または注入デバイス１００が遠隔デバイス１１９と通信することを可能にする送受信機様構成要素（たとえば、送受信機、別個の受信機および送信機など）を有することができる。送受信機様構成要素は、ウェアラブル注射および／または注入デバイス１００が遠隔デバイス１１９から情報を受け入れ、および／または遠隔デバイス１１９に情報を提供することを可能にすることができる。
【００７１】
いくつかの例では、ネットワークは、１つまたは複数の有線および／または無線ネットワークを含むことができる。たとえば、ネットワークは、セルラーネットワーク（たとえば、ロングタームエヴォリューション（ＬＴＥ）ネットワーク、第三世代（３Ｇ）ネットワーク、第４世代（４Ｇ）ネットワーク、符号分割多重接続（ＣＤＭＡ）ネットワークなど）、地上波公共移動通信ネットワーク（ＰＬＭＮ）、ローカルエリアネットワーク（ＬＡＮ）、ワイドエリアネットワーク（ＷＡＮ）、メトロポリタンエリアネットワーク（ＭＡＮ）、電話網（たとえば、公衆交換電話網（ＰＳＴＮ））、プライベートネットワーク、アドホックネットワーク、イントラネット、インターネット、光ファイバベースネットワーク、クラウドコンピューティングネットワークなど、および／またはこれらもしくは他のタイプのネットワークの組み合わせを含むことができる。
【００７２】
いくつかの例では、ウェアラブル注射および／または注入デバイス１００は、タブレットまたは携帯電話、またはサーバベースのアプリケーションなどの遠隔デバイス１１９上のアプリケーション１２１と、ブルートゥースまたはＷｉ−Ｆｉまたはセルラー方式通信プロトコルなどを使用して無線で外部通信するように構成され得る。遠隔デバイス１１９上のアプリケーション１２１は、ウェアラブル注射および／または注入デバイス１００の性能に関するリアルタイムデータを表示するように構成され得る。いくつかの例では、遠隔デバイス１１９上のアプリケーション１２１は、ウェアラブル注射および／または注入デバイス１００（図１５）に関連付けられた任意のデータを表示するように構成され得る。いくつかの例では、ウェアラブル注射および／または注入デバイス１００は、遠隔デバイスとの無線外部通信のためのＢＬＥ／ＭＣＵ無線機を有することができる。
【００７３】
遠隔デバイスは、ウェアラブル注射および／または注入デバイス１００の使用中、患者に文脈的指示を提供するように構成され得る。たとえば、遠隔デバイスは、ウェアラブル注射および／または注入デバイス１００を使用して投薬手順をセットアップし、開始する方法に関して患者に指示を提供することができる。いくつかの例では、遠隔デバイスは、投薬手順が進んでいることを患者に表示し、投薬手順のさまざまな段階の状況表示を提供することができる。さらなる例では、遠隔デバイスは、投薬手順が失速し得る場合などの異常なイベントにおいて従うべき手順に関する指示を患者に提供することができる。ウェアラブル注射および／または注入デバイス１００は、遠隔デバイスを使用して、患者の医療提供者または医療保険会社などの第三者に、患者に送達された治療薬の時間、日付、およびボリューム（量）についての情報を送るように構成され得る。ウェアラブル注射および／または注入デバイス１００は、異常なイベントの場合に、テキストによる警告を送るか、または第三者の電話番号をダイヤルするなどによってそのような第三者とコンタクトすることができる。
【００７４】
ウェアラブル注射および／または注入デバイス１００からのデータは、リアルタイムで遠隔デバイスに送信されてよく、および／またはデータは、送達後の使用のために遠隔データベース内に記憶されてよい。いくつかの例では、遠隔デバイスを使用して、ウェアラブル注射および／または注入デバイス１００が投薬手順を開始する前に安全プロトコルを実行することができる。たとえば、遠隔デバイスは、薬物リコールについてチェックし、正しい治療薬が使用されていることを確認し、および／または最後の投薬手順の時間およびボリュームを確認することができる。ウェアラブル注射および／または注入デバイス１００は、遠隔デバイス上で実行された安全プロトコルが異常を検出したかどうかに応じて、新しい投薬手順を開始することが遮られ得る。
【００７５】
強化された視覚インジケータ
いくつかの例では、ウェアラブル注射および／または注入デバイス１００は、１つまたは複数の強化された電子インジケータを有することができる。たとえば、ウェアラブル注射および／または注入デバイス１００は、３色（青色、赤色、白色）を有するＬＥＤベースインジケータなどの１つまたは複数の視覚インジケータを有することができる。代替的には、または加えて、ウェアラブル注射および／または注入デバイス１００は、チャイム／ビープ音を有する圧電ベースブザーなどの１つまたは複数の可聴インジケータを有することができる。
【００７６】
視覚インジケータを用いて、ウェアラブル注射および／または注入デバイスの状況およびその性能に関する視覚メッセージの範囲をユーザに送達することができる。たとえば、視覚インジケータの色を使用して、ウェアラブル注射および／または注入デバイス１００の状態、たとえばデバイスが通電されているかどうか、投薬手順が進んでいるかどうかなどを表示することができる。代替的に、または加えて、視覚インジケータは定常状態とフラッシング作動との間で作動されて、ウェアラブル注射および／または注入デバイス１００の状態を表示することができる。スピーカポートをウェアラブル注射および／または注入デバイス１００のハウジング内に提供して、可聴メッセージをユーザに送達することができる。
【００７７】
本発明を、最も実用的で好ましい例であると現在考えられているものに基づいて例示の目的で詳細に説明してきたが、そのような詳細はこの目的のためにすぎず、本発明は、開示する例に限定されず、その反対に、本開示の趣旨および範囲内に入る改変形態および等価の配置を対象とするように意図されることを理解されたい。たとえば、本発明は、可能な範囲で、任意の例の１つまたは複数の特徴を任意の他の例の１つまたは複数の特徴と組み合わせることを企図していることを理解されたい。
【図１】
2020512859.tif 000003
【図２】
2020512859.tif 000004
【図３】
2020512859.tif 000005
【図４】
2020512859.tif 000006
【図５】
2020512859.tif 000007
【図６】
2020512859.tif 000008
【図７】
2020512859.tif 000009
【図８】
2020512859.tif 000010
【図９】
2020512859.tif 000011
【図１０】
2020512859.tif 000012
【図１１】
2020512859.tif 000013
【図１２】
2020512859.tif 000014
【図１３】
2020512859.tif 000015
【図１４】
2020512859.tif 000016
【図１５】
2020512859.tif 000017
【図１６】
2020512859.tif 000018
【図１７】
2020512859.tif 000019
【図１８】
2020512859.tif 000020
【図１９】
2020512859.tif 000021
【図２０】
2020512859.tif 000022
【図２１】
2020512859.tif 000023
【図２２】
2020512859.tif 000024
【図２３】
2020512859.tif 000025
【図２４】
2020512859.tif 000026
【国際調査報告】
2020512859.tif 000027
2020512859.tif 000028
2020512859.tif 000029